(57)【要約】【課題】携帯端末から撮像装置をリモート撮影する場合に携帯端末に表示されるライブ画像を違和感なく表示させることを目的とする。【解決手段】携帯端末にライブ画像を送信し、前記携帯端末からの撮影指示に応じて撮像手段を介して撮影する撮像装置であって、前記携帯端末との間で無線通信が開始された後に、撮影に関するパラメータのうちライブ画像の表示に影響があるパラメータを設定する設定手段と、前記設定手段により前記パラメータが設定された後に、前記撮像手段を介してライブ画像を生成する生成手段と、前記生成手段により生成されたライブ画像を前記携帯端末に送信する無線通信手段と、を有する。【選択図】図５
2015128225.tif 000002
【特許請求の範囲】
【請求項１】
携帯端末にライブ画像を送信し、前記携帯端末からの撮影指示に応じて撮像手段を介して撮影する撮像装置であって、
前記携帯端末との間で無線通信が開始された後に、撮影に関するパラメータのうちライブ画像の表示に影響があるパラメータを設定する設定手段と、
前記設定手段により前記パラメータが設定された後に、前記撮像手段を介してライブ画像を生成する生成手段と、
前記生成手段により生成されたライブ画像を前記携帯端末に送信する無線通信手段と、を有することを特徴とする撮像装置。
【請求項２】
前記携帯端末との間で無線通信が開始される前に、鏡筒が繰り出されたときのズーム位置を記憶する記憶手段と、
前記携帯端末との間で無線通信を開始するときに、前記繰り出された鏡筒を沈胴させる鏡筒制御手段と、を有し、
前記設定手段は、前記携帯端末との間で無線通信が開始された後に、前記撮影に関するパラメータとして前記記憶手段により記憶されたズーム位置を設定し、
前記生成手段は、前記設定手段によりズーム位置が設定された後に、前記撮像手段を介してライブ画像を生成することを特徴とする請求項１に記載の撮像装置。
【請求項３】
前記ライブ画像の表示に影響があるパラメータとは、ズーム位置、ホワイトバランス値、補正露出値、マイカラー設定値およびアスペクト値の少なくとも何れか一つであることを特徴とする請求項１または２に記載の撮像装置。
【請求項４】
前記設定手段は、前記無線通信手段によりライブ画像を送信された後に、前記ライブ画像の表示に影響がないパラメータを設定することを特徴とする請求項１ないし３の何れか１項に記載の撮像装置。
【請求項５】
前記ライブ画像の表示に影響がないパラメータとは、ＩＳＯ値、ストロボ発光値、ストロボ発光のオンオフ、ＡＥ／ＡＦロックのオンオフ、セルフタイマー時間、セルフタイマーの音量およびシャッターの音量の少なくとも何れか一つであることを特徴とする請求項４に記載の撮像装置。
【請求項６】
該撮像装置が、前記携帯端末からの指示に応じて制御されるモードに移行された場合、前記携帯端末との間で無線通信が開始されることを特徴とする請求項１ないし５の何れか１項に記載の撮像装置。
【請求項７】
該撮像装置が、前記携帯端末との間で無線通信されないモードであって、記憶手段により記憶された撮影に関するパラメータを自動的に設定するモードである場合、
前記設定手段は、前記生成手段によりライブ画像が生成された後に、前記記憶されたパラメータを設定することを特徴とする請求項１ないし６の何れか１項に記載の撮像装置。
【請求項８】
携帯端末にライブ画像を送信し、前記携帯端末からの撮影指示に応じて撮像手段を介して撮影する撮像装置の制御方法であって、
前記携帯端末との間で無線通信が開始された後に、撮影に関するパラメータのうちライブ画像の表示に影響があるパラメータを設定する設定ステップと、
前記設定ステップにより前記パラメータが設定された後に、前記撮像手段を介してライブ画像を生成する生成ステップと、
前記生成ステップにより生成されたライブ画像を前記携帯端末に送信する無線通信ステップと、を有することを特徴とする撮像装置の制御方法。
【請求項９】
携帯端末にライブ画像を送信し、前記携帯端末からの撮影指示に応じて撮像手段を介して撮影する撮像装置を制御するためのプログラムであって、
前記携帯端末との間で無線通信が開始された後に、撮影に関するパラメータのうちライブ画像の表示に影響があるパラメータを設定する設定ステップと、
前記設定ステップにより前記パラメータが設定された後に、前記撮像手段を介してライブ画像を生成する生成ステップと、
前記生成ステップにより生成されたライブ画像を前記携帯端末に送信する無線通信ステップと、をコンピュータに実行させるためのプログラム。
【発明の詳細な説明】
【技術分野】
【０００１】
本発明は、撮像装置、その制御方法およびプログラム。
【背景技術】
【０００２】
デジタルカメラなどの撮像装置には予め撮影に関するパラメータを記憶しておき、条件を満たしたときに記憶したパラメータに自動的に設定するものがある。
特許文献１には、電源ＯＦＦ時にズーム位置を記憶し、電源ＯＮ時にズームレンズの現在位置と記憶位置が等しいときは初期位置に移動させないようにするデジタルカメラが開示されている。
特許文献２には、電源ＯＦＦ時に撮影パラメータを記憶し、電源ＯＮ時に手持ちか否かを判断し、手持ちの場合はズーム位置を初期状態に設定し、手持ちでない場合は記憶したズーム位置に設定するデジタルカメラが開示されている。
【０００３】
また、デジタルカメラと携帯端末とを無線通信によって連携させる撮影システムが知られている。このような撮影システムでは、デジタルカメラのライブ画像を無線通信を介して携帯端末に表示させることで、携帯端末の操作者はライブ画像を確認しながら撮影指示を行うことができ、デジタルカメラのリモート撮影が可能である。
【先行技術文献】
【特許文献】
【０００４】
【特許文献１】特開２０１３−０９８９０１号公報
【特許文献２】特開２００９−２６７４８２号公報
【発明の概要】
【発明が解決しようとする課題】
【０００５】
ここで、上述したような撮影に関するパラメータが自動的に設定されるデジタルカメラを用いて、携帯端末と連携させるリモート撮影を行う場合を想定する。この場合、デジタルカメラにおいて撮影に関するパラメータが設定されるタイミングによっては、携帯端末に表示されているライブ画像が変化してしまうという問題がある。例えば、特許文献１や特許文献２などのズーム位置が自動的に設定される場合では、携帯端末の操作者が操作していないにも関わらず、ズーム位置が変更されてしまう。したがって、ズーム位置が変更されている間のライブ画像が携帯端末に表示されてしまい、操作者に違和感を与えてしまう。
【０００６】
本発明は、上述したような問題点に鑑みてなされたものであり、携帯端末から撮像装置をリモート撮影する場合に携帯端末に表示されるライブ画像を違和感なく表示させることを目的とする。
【課題を解決するための手段】
【０００７】
本発明は、携帯端末にライブ画像を送信し、前記携帯端末からの撮影指示に応じて撮像手段を介して撮影する撮像装置であって、前記携帯端末との間で無線通信が開始された後に、撮影に関するパラメータのうちライブ画像の表示に影響があるパラメータを設定する設定手段と、前記設定手段により前記パラメータが設定された後に、前記撮像手段を介してライブ画像を生成する生成手段と、前記生成手段により生成されたライブ画像を前記携帯端末に送信する無線通信手段と、を有することを特徴とする。
【発明の効果】
【０００８】
本発明によれば、携帯端末から撮像装置をリモート撮影する場合に携帯端末に表示されるライブ画像を違和感なく表示することができる。
【図面の簡単な説明】
【０００９】
【図１】デジタルカメラの構成を示すブロック図である。
【図２】携帯電話の構成を示すブロック図である。
【図３】撮影システムの構成を説明するための図である。
【図４】第１の実施形態のデジタルカメラの処理を示すフローチャートである。
【図５】第１の実施形態のデジタルカメラの処理を示すフローチャートである。
【図６】第１の実施形態の携帯電話に表示される画面の一例を示す図である。
【図７】第２の実施形態のデジタルカメラの処理を示すフローチャートである。
【図８】第３の実施形態のデジタルカメラの処理を示すフローチャートである。
【図９】第３の実施形態の撮影に関するパラメータの一例を示す図である。
【発明を実施するための形態】
【００１０】
以下に、本発明を実施するための形態について、添付の図面を用いて詳細に説明する。
（第１の実施形態）
本実施形態の撮影システムは、撮像装置としてのデジタルカメラ１００と、携帯端末としての携帯電話２００とを有している。
【００１１】
＜デジタルカメラの構成＞
図１は、本実施形態のデジタルカメラ１００の構成例を示すブロック図である。なお、ここでは撮像装置として、デジタルカメラについて説明するが、この場合に限られない。撮像装置は、例えば、携帯型のメディアプレーヤ、いわゆるタブレットデバイス、パーソナルコンピュータなどの情報処理装置であってもよい。
【００１２】
デジタルカメラ１００は、制御部１０１、撮像部１０２、不揮発性メモリ１０３、作業用メモリ１０４、操作部１０５、表示部１０６、記録媒体１１０、接続部１１１を有している。制御部１０１は設定手段、生成手段および鏡筒制御手段の一例である。撮像部１０２は撮像手段の一例である。不揮発性メモリ１０３あるいは作業用メモリ１０４は記憶手段の一例である。
制御部１０１は、入力された信号や、後述のプログラムに従ってデジタルカメラ１００の各部を制御する。なお、制御部１０１が装置全体を制御する代わりに、複数のハードウェアが処理を分担することで装置全体を制御してもよい。
撮像部１０２は、撮像部１０２に含まれるレンズで結像された被写体光を電気信号に変換し、ノイズ低減処理などを行ったデジタルデータを画像データとして出力する。撮影された画像データはバッファメモリに蓄えられた後、制御部１０１にて所定の演算を行い、記録媒体１１０に記録される。また、撮像部１０２は鏡筒を有し、鏡筒が繰り出されることでズーム位置が調整される。
【００１３】
不揮発性メモリ１０３は、電気的に消去・記録可能な不揮発性のメモリである。不揮発性メモリ１０３には、制御部１０１で実行される後述のプログラムなどが格納される。
作業用メモリ１０４は、撮像部１０２で撮像された画像データを一時的に保持するバッファメモリや、表示部１０６の画像表示用メモリ、制御部１０１の作業領域などとして使用される。
操作部１０５は、操作者からデジタルカメラ１００に対する指示を受け付ける。操作部１０５は、例えば、操作者がデジタルカメラ１００の電源のＯＮ／ＯＦＦを指示するための電源ボタンや、撮影指示するためのレリーズスイッチ、ズーム操作を指示するためのズームレバーなどの操作部材が含まれる。また、操作部１０５は、画像データの再生を指示するための再生ボタン、後述する表示部１０６に形成されるタッチパネルも含まれる。
なお、レリーズスイッチは、ＳＷ１およびＳＷ２を有する。レリーズスイッチが、いわゆる半押し状態となることによりＳＷ１がＯＮとなる。レリーズスイッチのＳＷ１がＯＮになると、制御部１０１はＡＦ（オートフォーカス）処理、ＡＥ（自動露出）処理、ＡＷＢ（オートホワイトバランス）処理、ＥＦ（フラッシュプリ発光）処理などの撮影準備を行う。また、レリーズスイッチが、いわゆる全押し状態となることによりＳＷ２がＯＮとなる。レリーズスイッチのＳＷ２がＯＮになると、制御部１０１は撮影処理を行う。
【００１４】
表示部１０６は、撮像部１０２により撮影されているライブ画像の表示、撮影した画像データの表示、対話的な操作のための文字表示などを行う。なお、デジタルカメラ１００は必ずしも表示部１０６を内蔵する必要はない。すなわち、デジタルカメラ１００は内部または外部の表示部１０６と接続することができ、少なくとも表示部１０６の表示を制御できる機能を有していればよい。
記録媒体１１０は、撮像部１０２から出力された画像データを記録する媒体である。記録媒体１１０は、デジタルカメラ１００に着脱可能あるいはデジタルカメラ１００に内蔵されていてもよい。すなわち、デジタルカメラ１００は少なくとも記録媒体１１０にアクセスできればよい。
【００１５】
接続部１１１は、外部装置と接続するためのインターフェースである。本実施形態のデジタルカメラ１００は、接続部１１１を介して外部装置との間でデータを送受信することができる。なお、本実施形態では、接続部１１１は外部装置と無線ＬＡＮで通信するためのインターフェースを含む。制御部１０１は接続部１１１を介して外部装置との無線通信を実現する。なお、通信方式は無線ＬＡＮに限定されるものではない。
【００１６】
また、本実施形態のデジタルカメラ１００は、インフラストラクチャモードにおけるスレーブ装置として動作することが可能である。スレーブ装置として動作する場合、周辺のアクセスポイント（以下、ＡＰ）に接続することで、ＡＰが形成するネットワークに参加することが可能である。また、本実施形態のデジタルカメラ１００は、ＡＰの一種ではあるが、より機能が限定された簡易的なＡＰ（以下、簡易ＡＰ）として動作することも可能である。なお、本実施形態におけるＡＰは中継装置の一例である。デジタルカメラ１００が簡易ＡＰとして動作すると、デジタルカメラ１００は自身でネットワークを形成する。デジタルカメラ１００の周辺の装置は、デジタルカメラ１００をＡＰと認識し、デジタルカメラ１００が形成したネットワークに参加することが可能となる。上記のようにデジタルカメラ１００を動作させるためのプログラムは不揮発性メモリ１０３に保持されているものとする。
【００１７】
また、本実施形態のデジタルカメラ１００はＡＰの一種であるものの、スレーブ装置から受信したデータをインターネットプロバイダなどに転送するゲートウェイ機能は有していない簡易ＡＰである。したがって、自機が形成したネットワークに参加している他の装置からデータを受信しても、それをインターネットなどのネットワークに転送することはできない。
【００１８】
＜携帯電話の構成＞
図２は、本実施形態の携帯電話２００の構成例を示すブロック図である。なお、ここでは携帯端末の一例として携帯電話について説明するが、この場合に限られない。携帯端末は、例えば、無線機能付きのデジタルカメラ、携帯型のメディアプレーヤ、いわゆるタブレットデバイス、パーソナルコンピュータ、スマートフォンなどの情報処理装置であってもよい。
【００１９】
携帯電話２００は、制御部２０１、撮像部２０２、不揮発性メモリ２０３、作業用メモリ２０４、操作部２０５、表示部２０６、記録媒体２１０、接続部２１１、公衆網接続部２１２、マイク２１３、スピーカ２１４を有している。
制御部２０１は、入力された信号や、後述のプログラムに従って携帯電話２００の各部を制御する。なお、制御部２０１が装置全体を制御する代わりに複数のハードウェアが処理を分担することで装置全体を制御してもよい。
撮像部２０２は、撮像部２０２に含まれるレンズで結像された被写体光を電気信号に変換し、ノイズ低減処理などを行ったデジタルデータを画像データとして出力する。撮影した画像データはバッファメモリに蓄えられた後、制御部２０１にて所定の演算を行い、記録媒体２１０に記録される。
【００２０】
不揮発性メモリ２０３は、電気的に消去・記録可能な不揮発性のメモリである。不揮発性メモリ２０３には、制御部２０１で実行される各種プログラムなどが格納される。また、不揮発性メモリ２０３には、デジタルカメラ１００と通信するためのプログラムがカメラ通信アプリケーションとして格納され、インストールされているものとする。なお、本実施形態の携帯電話２００の処理は、カメラ通信アプリケーションにより提供されるプログラムを読み込むことにより実現される。なお、カメラ通信アプリケーションは携帯電話２００にインストールされたＯＳの基本的な機能を利用するためのプログラムを有しているものとする。なお、携帯電話２００のＯＳが本実施形態における処理を実現するためのプログラムを有していてもよい。
【００２１】
作業用メモリ２０４は、撮像部２０２で生成された画像データを一時的に保存するバッファメモリや、表示部２０６の画像表示用メモリや、制御部２０１の作業領域などとして使用される。
操作部２０５は、操作者から携帯電話２００に対する指示を受け付ける。操作部２０５は例えば、操作者が携帯電話２００の電源のＯＮ／ＯＦＦを指示するための電源ボタンや、表示部２０６に形成されるタッチパネルなどの操作部材が含まれる。
【００２２】
表示部２０６は、画像データの表示、対話的な操作のための文字表示などを行う。なお、携帯電話２００は必ずしも表示部２０６を内蔵する必要はない。すなわち、携帯電話２００は表示部２０６と接続することができ、少なくとも表示部２０６の表示を制御できる機能を有していればよい。
記録媒体２１０は、撮像部２０２から出力された画像データを記録する媒体である。記録媒体２１０は、携帯電話２００に着脱可能あるいは携帯電話２００に内蔵されていてもよい。すなわち、携帯電話２００は少なくとも記録媒体２１０にアクセスできればよい。
【００２３】
接続部２１１は、外部装置と接続するためのインターフェースである。本実施形態の携帯電話２００は、接続部２１１を介して外部装置とデータの送受信することができる。なお、本実施形態では、接続部２１１は外部装置と無線ＬＡＮで通信するためのインターフェースを含む。制御部２０１は接続部２１１を介して外部装置との無線通信を実現する。なお、本実施形態の携帯電話２００は、少なくともインフラストラクチャモードにおけるスレーブ装置として動作することが可能であり、周辺のＡＰが形成するネットワークに参加することが可能である。
【００２４】
公衆網接続部２１２は、公衆無線通信を行う際に用いられるインターフェースである。携帯電話２００は操作者が公衆網接続部２１２を介して他の装置の操作者と通話をしたり、他の装置との間でデータ通信をしたりすることができる。通話の際には、制御部２０１はマイク２１３およびスピーカ２１４を介して音声信号の入力と出力を行う。本実施形態では、公衆網接続部２１２は３Ｇを用いた通信を行うためのインターフェースを含むものとする。なお、３Ｇに限らず、ＬＴＥやＷｉＭＡＸ、ＡＤＳＬ、ＦＴＴＨ、いわゆる４Ｇといった他の通信方式を用いてもよい。また、接続部２１１および公衆網接続部２１２は必ずしも独立したハードウェアで構成する必要はなく、例えば一つのアンテナで兼用することも可能である。
【００２５】
＜撮影形態の概要＞
図３は、デジタルカメラ１００および携帯電話２００を用いた撮影形態の一例を模式的に示す図である。
図３（ａ）はデジタルカメラ１００単体で撮影する形態を示す図である。撮影者３００がデジタルカメラ１００の操作部１０５のレリーズスイッチを半押すことによりＳＷ１がＯＮになり、デジタルカメラ１００は撮影準備を行う。撮影者３００が操作部１０５のレリーズスイッチを全押しすることによりＳＷ２がＯＮにより、デジタルカメラ１００は撮影処理を行う。撮影処理によって、被写体３０１が撮影された画像が記録媒体１１０に記録される。
【００２６】
図３（ｂ）はデジタルカメラ１００と携帯電話２００が無線接続された場合における撮影時の撮影形態を示す図である。デジタルカメラ１００と携帯電話２００とが無線接続された場合、撮影者３００が携帯電話２００の操作部２０５を操作することで接続部２１１を介してデジタルカメラ１００に撮影指示が送信される。デジタルカメラ１００は携帯電話２００から撮影指示を受信した場合、撮影準備および撮影処理を行う。撮影処理によって、撮影者３００自身を撮影した画像が記録媒体１１０に記録される。
【００２７】
＜通常撮影モードおよびカスタム撮影モード＞
図４は、通常撮影モードまたはカスタム撮影モードに設定され、起動した場合のデジタルカメラ１００の処理を示すフローチャートである。ここで、通常撮影モードは、操作者による操作に応じて撮像部１０２を撮影制御するモードである。また、カスタム撮影モードは、撮影に関するパラメータを予め操作者による操作に応じて記憶し、記憶したパラメータに自動的に設定するモードである。
【００２８】
まず、通常撮影モードに設定されて起動した場合のデジタルカメラ１００の処理を説明する。
ステップＳ４０１では、デジタルカメラ１００の制御部１０１は起動時のモードがカスタム撮影モードであるか否かを判定する。カスタム撮影モードの場合にはステップＳ４０２に進み、カスタム撮影モードと異なるモードの場合にはステップＳ４０６に進む。ここでは、通常撮影モードに設定されているのでステップＳ４０６に進む。
【００２９】
ステップＳ４０６では、制御部１０１はカメラ本体に沈胴された鏡筒を、通常起動時に繰り出すズーム位置（広角端）まで繰り出す。
ステップＳ４０７では、制御部１０１は撮像部１０２を介してライブ画像を生成する。制御部１０１は表示部１０６に生成したライブ画像の表示を開始する。上述した処理によって通常撮影モードで起動したときの処理が完了する。
【００３０】
次に、カスタム撮影モードに設定されて起動したときのデジタルカメラ１００の処理を説明する。ここでは、自動的に設定される撮影に関するパラメータとして、起動時のズーム位置が不揮発性メモリ１０３に記憶されているものとする。起動時のズーム位置は、操作者が操作部１０５を操作することにより、制御部１０１が不揮発性メモリ１０３に記憶する。
ステップＳ４０１では、デジタルカメラ１００の制御部１０１は起動時のモードがカスタム撮影モードであるか否かを判定する。ここでは、カスタム撮影モードに設定されているのでステップＳ４０２に進む。
【００３１】
ステップＳ４０２では、制御部１０１は撮影に関するパラメータとして起動時のズーム位置が不揮発性メモリ１０３に記憶されているか否かを判定する。ズーム位置が記憶されている場合にはステップＳ４０３に進み、ズーム位置が記憶されていない場合にはステップＳ４０６に進む。ここでは、ズーム位置が予め記憶されているので、ステップＳ４０３に進む。
ステップＳ４０３では、制御部１０１はカメラ本体に沈胴された鏡筒を、通常起動時に繰り出すズーム位置（広角端）まで繰り出す。
【００３２】
ステップＳ４０４では、制御部１０１は撮像部１０２を介してライブ画像を生成する。制御部１０１は表示部１０６に生成したライブ画像の表示を開始する。
ステップＳ４０５では、制御部１０１は予め記憶されているズーム位置まで鏡筒を繰り出す。なお、制御部１０１はステップＳ４０４において既に表示部１０６にライブ画像の表示を開始していることから、記憶されたズーム位置に鏡筒を繰り出すまでの間のライブ画像が表示部１０６に表示される。
ここで、操作者が好んで用いるズーム位置や、後述するリモート撮影モードで撮影するために被写体がフレーム内に収まるようにフレーミングしたズーム位置を予め記憶させておくことで、そのズーム位置まで鏡筒が繰り出されるため撮影時の操作性が向上する。
【００３３】
また、記憶したズーム位置に鏡筒を繰り出す前にライブ画像の表示を開始させているために、操作者がカスタム撮影モードに設定した上で起動していることを認識することができる。具体的には、広角端から予め記憶されたズーム位置にズームインされるまでのライブ画像が表示されるので、操作者は記憶されたズーム位置への復元が自動で行われていることを認識することができる。更に、上述した処理をすることで、ライブ画像を表示するまでの時間を短縮させることができる。
【００３４】
＜リモートモード＞
図５は、リモートモードに設定され、起動した場合のデジタルカメラ１００の処理を示すフローチャートである。なお、通常撮影モードまたはカスタム撮影モードからリモートモードに移行した場合であってもよい。
ここで、リモートモードは、携帯電話２００からの無線通信を介した指示に応じてデジタルカメラ１００が制御されるモードである。リモートモードには、リモート撮影モードと画像閲覧モードがあり、これらのモードについては後述する。
【００３５】
ステップＳ５０１では、デジタルカメラ１００の制御部１０１は、繰り出した鏡筒をカメラ本体に沈胴させる。本実施形態では、上述した通常撮影モードやカスタム撮影モードから移行した場合などでは鏡筒が繰り出されたままであり、本実施形態では繰り出した鏡筒を一度、沈胴させるものとする。なお、鏡筒を沈胴させる理由はステップＳ５０３において後述する。
【００３６】
ステップＳ５０２では、制御部１０１は携帯電話２００との間で無線通信の接続処理を行う。制御部１０１は携帯電話２００との接続が確立されることで無線通信を開始する。ここで、無線通信の接続処理が完了することによって携帯電話２００に表示される画面について図６（ａ）を参照して説明する。
図６（ａ）は、携帯電話２００の表示部２０６に表示される画面の一例を示す図である。携帯電話２００の制御部２０１は、デジタルカメラ１００との接続が確立され、カメラ通信アプリケーションを起動することで、図６（ａ）に示す画面を表示する。図６（ａ）には、閲覧選択ボタン６０１およびリモート撮影選択ボタン６０２が表示される。各ボタンは、操作者による携帯電話２００の操作部２０５を介した操作によって選択される。
【００３７】
閲覧選択ボタン６０１は、デジタルカメラ１００に記憶された画像を閲覧したい場合に選択するボタンである。閲覧選択ボタン６０１が選択されることで、携帯電話２００の制御部２０１はデジタルカメラ１００のモードを画像閲覧モードに移行させるための要求をデジタルカメラ１００に送信する。ここで、画像閲覧モードとは、携帯電話２００からの画像閲覧指示に応じてデジタルカメラ１００に記憶された画像を携帯電話２００に転送するモードである。
【００３８】
リモート撮影選択ボタン６０２は、デジタルカメラ１００をリモート撮影したい場合に選択するボタンである。リモート撮影選択ボタン６０２が選択されることで、携帯電話２００の制御部２０１はデジタルカメラ１００のモードをリモート撮影モードに移行させるための要求をデジタルカメラ１００に送信する。ここで、リモート撮影モードとは、携帯電話２００からの撮影指示に応じてデジタルカメラ１００の撮像部１０２が撮影制御されるモードである。
【００３９】
ステップＳ５０３では、制御部１０１は携帯電話２００からリモート撮影モードへの移行の要求を受信したか否かを判定する。リモート撮影モードへの移行の要求を受信した場合にはステップＳ５０４に進む。一方、リモート撮影モードへの移行の要求を受信していない場合、すなわち画像閲覧モードへの移行の要求を受信した場合には、制御部１０１は画像閲覧モードに設定して処理を終了する。画像閲覧モードでは、携帯電話２００からの閲覧指示に応じて、制御部１０１は記憶している画像を携帯電話２００に転送する。
上述したようにステップＳ５０１では鏡筒を沈胴させている。このように処理するのは、リモート撮影モードよりも画像閲覧モードの使用頻度が高く、画像閲覧モードでは鏡筒が邪魔になるためである。また、仮に画像閲覧モードへの移行が指示されてから鏡筒を沈胴させると、消費電力のピーク値を低減させるために鏡筒を沈胴させた後に画像閲覧モードに移行させる必要があり、画像を閲覧するまでに時間を要してしまうためである。
【００４０】
次に、ステップＳ５０４では、制御部１０１は撮影に関するパラメータとして起動時のズーム位置が不揮発性メモリ１０３に記憶されているか否かを判定する。ズーム位置が記憶されている場合にはステップＳ５０５に進み、ズーム位置が記憶されていない場合にはステップＳ５０８に進む。
【００４１】
ステップＳ５０８では、制御部１０１はカメラ本体に沈胴された鏡筒を、通常起動時に繰り出すズーム位置（広角端）まで繰り出す。
ステップＳ５０９では、制御部１０１は撮像部１０２を介してライブ画像を生成する。制御部１０１は生成したライブ画像を接続部１１１を介して携帯電話２００に送信することで、携帯電話２００ではライブ画像の表示を開始する。その後、制御部１０１はリモート撮影モードに設定して処理を終了する。
【００４２】
一方、ステップＳ５０５では、制御部１０１はカメラ本体に沈胴された鏡筒を、通常起動時に繰り出すズーム位置（広角端）まで繰り出す。
ステップＳ５０６では、制御部１０１は予め記憶されているズーム位置まで鏡筒を繰り出す。したがって、携帯電話２００と無線通信する前に被写体がフレーム内に収まるようにフレーミングしたズーム位置を予め記憶している場合には、そのズーム位置を復元することができる。このように処理することで、ステップＳ５０１で鏡筒が沈胴された場合であっても、記憶したズーム位置からリモート撮影を開始することができる。
【００４３】
ステップＳ５０７では、制御部１０１は撮像部１０２を介してライブ画像を生成する。制御部１０１は生成したライブ画像を接続部１１１を介して携帯電話２００に送信することで、携帯電話２００ではライブ画像の表示を開始する。その後、制御部１０１はリモート撮影モードに設定して処理を終了する。
上述した図４のフローチャートではライブ画像の表示を開始した後にズーム位置を復元していた（ステップＳ４０４、ステップＳ４０５）が、ここではズーム位置を復元した後にライブ画像の表示を開始する（ステップＳ５０６、ステップＳ５０７）。
【００４４】
このように処理することで、リモート撮影モードに設定される場合に携帯電話２００のライブ画像を確認する操作者に違和感を与えないようにすることができる。すなわち、仮にライブ画像の表示を開始した後にズーム位置を復元させてしまうと、操作者が記憶させたズーム位置と異なる画像が携帯電話２００の表示部２０６に表示されてしまい、操作者は混乱してしまうためである。また、デジタルカメラ１００を操作する操作者と携帯電話２００を操作する操作者が異なる場合には、仮にライブ画像の表示を開始した後にズーム位置を復元させてしまうと、広角端から記憶されたズーム位置に鏡筒を繰り出すまでの間のライブ画像が表示部２０６に表示されてしまい、携帯電話２００を操作する操作者が混乱してしまうためである。
【００４５】
図６（ｂ）は、携帯電話２００の表示部２０６に表示される画面の一例を示す図である。携帯電話２００の制御部２０１は、デジタルカメラ１００がリモート撮影モードに移行することで、図６（ｂ）に示す画面を表示する。図６（ｂ）には、ライブ画像６０３、被写体６０４、撮影指示ボタン６０５、設定切替ボタン６０６が表示されている。
【００４６】
撮影指示ボタン６０５は、デジタルカメラ１００に撮影を指示したい場合に選択するボタンである。撮影指示ボタン６０５が選択されることで携帯電話２００の制御部２０１は撮影指示をデジタルカメラ１００に送信し、デジタルカメラ１００の制御部１０１は撮影指示に応じて静止画撮影を行う。
設定切替ボタン６０６は、デジタルカメラ１００に撮影に関するパラメータの切替えを指示したい場合に選択するボタンである。撮影に関するパラメータには、ズーム位置、ホワイトバランス値、補正露出値、マイカラー設定値、アスペクト値、ＩＳＯ値が含まれる。また、撮影に関するパラメータには、例えば、ストロボ発光値、ストロボ発光のオンオフ、ＡＥ／ＡＦロックのオンオフ、セルフタイマー時間、セルフタイマーの音量およびシャッターの音量などが含まれる。
【００４７】
このように本実施形態によれば、携帯電話２００からデジタルカメラ１００に対してリモート撮影する場合に、ズーム位置を復元した後に携帯電話２００の表示部２０６にライブ画像を表示されることからライブ画像を違和感なく表示させることができる。
【００４８】
（第２の実施形態）
本実施形態では通常撮影モードおよびカスタム撮影モードにおける鏡筒の繰り出しとライブ画像の表示開始とのタイミングを変更する場合について図７のフローチャートを参照して説明する。
＜通常撮影モードおよびカスタム撮影モード＞
図７は、通常撮影モードまたはカスタム撮影モードに設定され、起動した場合のデジタルカメラ１００の処理を示すフローチャートである。
【００４９】
まず、通常撮影モードに設定されて起動した場合のデジタルカメラ１００の処理を説明する。
ステップＳ７０１では、デジタルカメラ１００の制御部１０１は起動時のモードがカスタム撮影モードであるか否かを判定する。カスタム撮影モードの場合にはステップＳ７０２に進み、カスタム撮影モードと異なるモードの場合にはステップＳ７０６に進む。ここでは、通常撮影モードに設定されているのでステップＳ７０６に進む。
【００５０】
ステップＳ７０６では、制御部１０１は撮像部１０２により撮影されている画像からライブ画像を生成する。制御部１０１は表示部１０６に生成したライブ画像の表示を開始する。
ステップＳ７０７では、制御部１０１はカメラ本体に沈胴された鏡筒を、通常起動時に繰り出すズーム位置（広角端）まで繰り出す。上述した処理によって通常撮影モードで起動したときの処理が完了する。
【００５１】
次に、カスタム撮影モードに設定されて起動したときのデジタルカメラ１００の処理を説明する。ここでは、自動的に設定される撮影に関するパラメータとして、起動時のズーム位置が不揮発性メモリ１０３に記憶されているものとする。
ステップＳ７０１では、デジタルカメラ１００の制御部１０１は起動時のモードがカスタム撮影モードであるか否かを判定する。ここでは、カスタム撮影モードに設定されているのでステップＳ７０２に進む。
【００５２】
ステップＳ７０２では、制御部１０１は起動時のズーム位置が不揮発性メモリ１０３に記憶されているか否かを判定する。ここでは、ズーム位置が予め記憶されているので、ステップＳ７０３に進む。
ステップＳ７０３では、制御部１０１は撮像部１０２により撮影されている画像からライブ画像を生成する。制御部１０１は表示部１０６に生成したライブ画像の表示を開始する。
【００５３】
ステップＳ７０４では、制御部１０１はカメラ本体に沈胴された鏡筒を、通常起動時に繰り出すズーム位置（広角端）まで繰り出す。
ステップＳ７０５では、制御部１０１は予め記憶されているズーム位置まで鏡筒を繰り出す。なお、制御部１０１はステップＳ７０３において既に表示部１０６にライブ画像の表示を開始していることから、記憶されたズーム位置に鏡筒を繰り出すまでの間のライブ画像が表示部１０６に表示される。
このように本実施形態によれば、通常撮影モードまたはカスタム撮影モードが設定され、起動したときに鏡筒を繰り出す前にライブ画像を表示することで、ライブ画像を表示させるまでの時間を短縮化することができる。
【００５４】
（第３の実施形態）
本実施形態ではリモート撮影モードに移行するときにライブ画像を表示するタイミングを高速化させる場合について図８のフローチャートおよび図９を参照して説明する。上述した実施形態では説明を省略したが、ライブ画像を生成する場合には、制御部１０１は撮影に関する全てのパラメータを制御部１０１自身あるいは撮像部１０２などに設定した後にライブ画像を生成している。本実施形態では、撮影に関する全てのパラメータを同じタイミングで設定するのではなく、撮影に関するパラメータのうちライブ画像に変化を与えるパラメータを先行して設定し、ライブ画像を表示させるまでの時間を短縮させる。
【００５５】
＜リモートモード＞
図８は、リモートモードに設定された場合のデジタルカメラの処理を示すフローチャートである。
ステップＳ８０１からステップＳ８０３までの処理は、第１の実施形態における図５のステップＳ５０１からステップＳ５０３までの処理と同様であるために、その説明を省略する。
【００５６】
ステップＳ８０４では、制御部１０１は起動時のズーム位置が不揮発性メモリ１０３に記憶されているか否かを判定する。ズーム位置が記憶されている場合にはステップＳ８０５に進み、ズーム位置が記憶されていない場合にはステップＳ８０９に進む。
ステップＳ８０５では、制御部１０１はカメラ本体に沈胴された鏡筒を、通常起動時に繰り出すズーム位置（広角端）まで繰り出す。
ステップＳ８０６では、制御部１０１はライブ画像の表示に影響がある、撮影に関するパラメータを先行して設定する。ライブ画像の表示に影響があるパラメータとは、ライブ画像に変化を与えるパラメータであり、具体的には図９において後述する。ここで、ライブ画像の表示に影響があるパラメータにはズーム位置が含まれるために、制御部１０１は予め記憶されているズーム位置まで鏡筒を繰り出す。なお、ライブ画像の表示に影響があるパラメータのうち、ズーム位置以外で予め記憶されているパラメータがある場合には、制御部１０１は記憶されたパラメータを設定する。
【００５７】
図９は、ライブ画像の表示に影響があるパラメータと、ライブ画像に影響がないパラメータの一例を示す図である。
ライブ画像の表示に影響があるパラメータには、ズーム位置、ホワイトバランス値、露出補正値、マイカラー設定値およびアスペクト値などの少なくとも一つが含まれる。なお、マイカラー設定値とは、画像全体の色調または部分的な色味を設定するためのパラメータ値であり、例えばモノクロ、セピア、白黒等の切り替えを行うことができる。
一方、ライブ画像の表示に影響がないパラメータには、ＩＳＯ値、ストロボ発光値、ストロボ発光のオンオフ、ＡＥ／ＡＦロックのオンオフ、セルフタイマー時間、セルフタイマーの音量およびシャッターの音量などの少なくとも一つが含まれる。
【００５８】
ステップＳ８０７では、制御部１０１は撮像部１０２を介してライブ画像を生成する。制御部１０１は生成したライブ画像を接続部１１１を介して携帯電話２００に送信することで、携帯電話２００ではライブ画像の表示を開始する。
ステップＳ８０８では、制御部１０１はライブ画像に影響がないパラメータを設定する。その後、制御部１０１はリモート撮影モードに設定して処理を終了する。なお、ライブ画像の表示に影響がないパラメータのうち、予め記憶されているパラメータがある場合には、制御部１０１は記憶されたパラメータを設定する。
【００５９】
一方、ステップＳ８０４においてズーム位置が記憶されていないと判定された場合には、ステップＳ８０９に進む。ステップＳ８０９〜ステップＳ８１２までの処理は、ステップＳ８０５〜ステップＳ８０８までの処理と同様である。ただし、ズーム位置が記憶されていないために、ステップＳ８１０では、制御部１０１はズーム位置を除いて、ライブ画像に影響があるパラメータを先行して設定する。
【００６０】
このように本実施形態によれば、ライブ画像の表示に影響があるパラメータを先行して設定してから、携帯電話２００の表示部２０６にライブ画像を表示させることからライブ画像を違和感なく表示させることができる。また、携帯電話２００の表示部２０６にライブ画像を表示させるまでの時間を短縮化させることができる。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
また、本発明は、以下の処理を実行することによっても実現される。すなわち、上述した実施形態の機能を実現するプログラムを、ネットワークまたは各種記憶媒体を介して撮像装置または携帯端末に供給し、撮像装置または携帯端末のコンピュータ（制御部など）がプログラムを読み出して実行する処理である。
【００６２】
なお、デジタルカメラ１００の制御部１０１は、生成したライブ画像を接続部１１１を介して携帯電話２００に送信する場合に、デジタルカメラ１００の表示部１０６にライブ画像を表示してもよい。
【図１】
2015128225.tif 000003
【図２】
2015128225.tif 000004
【図３】
2015128225.tif 000005
【図４】
2015128225.tif 000006
【図５】
2015128225.tif 000007
【図６】
2015128225.tif 000008
【図７】
2015128225.tif 000009
【図８】
2015128225.tif 000010
【図９】
2015128225.tif 000011